(57)【要約】      （修正有）【課題】異なる３種類の白色発光ダイオードを用いることにより、色温度の広い照明装置を提供する。【解決手段】第１の発光ダイオード８は、色温度６５００Ｋから３６００Ｋの白色を発光する発光ダイオードである。また、第２の発光ダイオード１０は、色温度３６００Ｋから２５００Ｋの所謂電球色を発光する発光ダイオードである。また、第３の発光ダイオード１２は、色温度２５００Ｋから２１００Ｋのアンバー色を発光する発光ダイオードである。各発光ダイオードは、基板１４上に、間隔がＬとなるように等間隔に配置されている。【選択図】図２
2008192842.tif 000002
【特許請求の範囲】
【請求項１】
白色を発光する第１の発光ダイオードと、
前記第１の発光ダイオードとは異なる白色を発光する第２の発光ダイオードと、
前記第１の発光ダイオードおよび前記第２の発光ダイオードとは異なる色を発光する第３の発光ダイオードと、
前記第１の発光ダイオード、第２の発光ダイオードおよび第３の発光ダイオードを実装する基板と、
前記基板に実装された第１の発光ダイオード、第２の発光ダイオードおよび第３の発光ダイオードの輝度をそれぞれ調整し、発光する色温度を制御する制御手段と、
を備える照明装置。
【請求項２】
前記第１の発光ダイオードが発光する色温度は、６５００Ｋから４０００Ｋの範囲内であり、
前記第２の発光ダイオードが発光する色温度は、３５００Ｋから２５００Ｋの範囲内であり、
前記第３の発光ダイオードが発光する色温度は、２３００Ｋから１８００Ｋの範囲内であることを特徴とする請求項１に記載の照明装置。
【請求項３】
前記制御手段は、前記基板上に実装された各発光ダイオードのうち、１つの第１の発光ダイオード、２つの第２の発光ダイオードおよび１つの第３の発光ダイオードを１つの組として各発光ダイオードの輝度をそれぞれ制御することを特徴とする請求項２に記載の照明装置。
【請求項４】
前記基板上に前記１つの組の発光ダイオードを直線状に配置する場合、第１の発光ダイオード、第２の発光ダイオード、第３の発光ダイオード、第２の発光ダイオードの順序とすることを特徴とする請求項３に記載の照明装置。
【請求項５】
前記基板上に前記１つの組の発光ダイオードを直線状に配置する場合、第３の発光ダイオード、第２の発光ダイオード、第１の発光ダイオード、第２の発光ダイオードの順序とすることを特徴とする請求項３に記載の照明装置。
【請求項６】
前記１つの組の各発光ダイオードは、等間隔で直線状に配置されることを特徴とする請求項３から５のいずれか１項に記載の照明装置。
【請求項７】
前記１つの組の発光ダイオードを２組用い、すべての発光ダイオードが前記基板上に直線状に配置されることにより照明ユニットが形成され、
前記照明ユニットが複数集合することにより構成されることを特徴とする請求項３から６のいずれか１項に記載の照明装置。
【請求項８】
前記照明ユニットの内の最端に位置する発光ダイオードと前記照明ユニットの端部の距離は、前記照明ユニット内の各発光ダイオードの間隔の半分であることを特徴とする請求項７に記載の照明装置。
【請求項９】
前記１つの組の発光ダイオードを前記基板上に四角形の４つの頂点にそれぞれ配置する場合、一方の対角となる頂点に第２の発光ダイオードを２つ配置し、他方の対角となる頂点に第１の発光ダイオードおよび第３の発光ダイオードをそれぞれ配置することを特徴とする請求項３に記載の照明装置。
【請求項１０】
前記制御手段は、前記基板上に実装された各発光ダイオードのうち、１つの第１の発光ダイオード、１つの第２の発光ダイオードおよび１つの第３の発光ダイオードを１つの組として各発光ダイオードの輝度をそれぞれ制御することを特徴とする請求項２に記載の照明装置。
【請求項１１】
前記基板上には、第１の発光ダイオード、第２の発光ダイオードおよび第３の発光ダイオードに加え、赤色発光ダイオード、緑色発光ダイオードおよび青色発光ダイオードがさらに実装され、
前記制御手段は、６色の発光ダイオードの輝度を調節することを特徴とする請求項２に記載の照明装置。
【請求項１２】
前記制御手段により変化する前記照明装置の色温度を、時間の経過に応じて所望の色温度となるように変化させる時間感応色温度調整手段を、さらに備えることを特徴とする請求項１から１１のいずれか１項に記載の照明装置。
【発明の詳細な説明】
【技術分野】
【０００１】
本発明は、発光ダイオードを用いた照明装置に関し、特に、白色の発光ダイオードを複数個組み合わせて得られる白色の照明装置に関するものである。
【背景技術】
【０００２】
光源に発光ダイオードを用いた照明装置は、従来より様々なものが実用化されているが、近年、白色光を発光する発光ダイオードを用いて照明装置を実現することが研究されている。白色光は、赤、青、緑の三原色の発光ダイオードを用いることでも実現できるが、色バランスを制御することが困難なため、白色光を発する発光ダイオードを用いることで、実際の白色光源に近い白色を得ることができるのである。
【０００３】
近年、開発されている白色発光ダイオードを用いた照明装置では、複数の種類の白色発光ダイオードを組み合わせて、色温度が広範囲となる照明装置の実用化が研究されている。以下に示す特許文献１では、発光色が互いに異なる２種類の白色発光ダイオードを備え、２種類の白色発光ダイオードそれぞれの発光光による照明装置が開示されている。
【０００４】
また、以下に示す特許文献２では、第１の白色発光ダイオードと、第１の白色発光ダイオードとは発光色の相関色温度が２０００Ｋ以上低い第２の白色発光ダイオードを具備し、２種類の白色発光ダイオードを独立に制御してなる照明装置が開示されている。
【特許文献１】特開２００５−１５３６０６号公報
【特許文献２】特開２００５−１０１２９６号公報
【発明の開示】
【発明が解決しようとする課題】
【０００５】
上述した特許文献においては、２種類の白色発光ダイオードを用いて白色光を実現するものであったが、照明装置として変化させることができる色温度の範囲が狭いという問題点を有していた。すなわち、現時点において存在する白色発光ダイオードを２種類用いることにより、実現することができる色温度の範囲には限界があり、さらに色温度の範囲の広い照明装置の実現が要望されていた。また、現時点において存在する白色発光ダイオードの輝度は、白色発光ダイオード毎に異なり、色温度の異なる白色発光ダイオードを単に組み合わせるだけでは、十分に色温度の広い照明装置を実現することが困難であった。さらに、白色発光ダイオードの配列に関しても考慮する必要があった。
【０００６】
そこで、本発明は上記課題を解決するためになされたものであり、２種類の白色発光ダイオードに、他の色の発光ダイオードを組み合わせることにより、色温度の広い照明装置を実現することを目的とする。
【課題を解決するための手段】
【０００７】
本発明は上記目的を達成するために創案されたものであり、請求項１に係る発明は、白色を発光する第１の発光ダイオードと、前記第１の発光ダイオードとは異なる白色を発光する第２の発光ダイオードと、前記第１の発光ダイオードおよび前記第２の発光ダイオードとは異なる色を発光する第３の発光ダイオードと、前記第１の発光ダイオード、第２の発光ダイオードおよび第３の発光ダイオードを実装する基板と、前記基板に実装された第１の発光ダイオード、第２の発光ダイオードおよび第３の発光ダイオードの輝度をそれぞれ調整し、発光する色温度を制御する制御手段と、を備える照明装置によって構成される。上記の構成によれば、異なる２種類の白色発光ダイオードとこれらと異なる色の発光ダイオードを組み合わせて照明装置を構成したため、色温度の広い照明装置を実現することができる。なお、第３の発光ダイオードの色は、白色に近い色、例えばアンバー色等を用いることができる。これにより、２種類の白色発光ダイオードでは実現できない色温度の白色を発光することができる照明装置を実現することができるのである。
【０００８】
また、本発明は、前記第１の発光ダイオードが発光する色温度は、６５００Ｋから４０００Ｋの範囲内であり、前記第２の発光ダイオードが発光する色温度は、３５００Ｋから２５００Ｋの範囲内であり、前記第３の発光ダイオードが発光する色温度は、２３００Ｋから１８００Ｋの範囲内であることを特徴とする照明装置によって構成することもできる。この構成によれば、本発明の照明装置は、色温度６５００Ｋから１８００Ｋの広範囲に渡る白色を実現することができる。
【０００９】
また、本発明は、前記制御手段は、前記基板上に実装された各発光ダイオードのうち、１つの第１の発光ダイオード、２つの第２の発光ダイオードおよび１つの第３の発光ダイオードを１つの組として各発光ダイオードの輝度をそれぞれ制御することを特徴とする照明装置によって構成することもできる。この構成によれば、４つの発光ダイオードを最小単位として照明装置を構成するため、コンパクトに照明装置を実現することができる。なお、現時点では、３５００Ｋから２５００Ｋの白色光を発光する第２の発光ダイオードの輝度が、第１および第３の発光ダイオードよりも低いため、４つの組合わせにおいては、第２の発光ダイオードを２つ用いることにより、所望の色温度を実現することができるのである。
【００１０】
また、本発明は、前記基板上に前記１つの組の発光ダイオードを直線状に配置する場合、第１の発光ダイオード、第２の発光ダイオード、第３の発光ダイオード、第２の発光ダイオードの順序とすることを特徴とする照明装置によって構成することもできる。この構成によれば、第２の発光ダイオードが第１の発光ダイオードおよび第３の発光ダイオードと隣合わせになってるため、確実に所望の色温度の白色を実現することができる。
【００１１】
また、本発明は、前記基板上に前記１つの組の発光ダイオードを直線状に配置する場合、第３の発光ダイオード、第２の発光ダイオード、第１の発光ダイオード、第２の発光ダイオードの順序とすることを特徴とする照明装置によって構成することもできる。この構成によれば、第２の発光ダイオードが第１の発光ダイオードおよび第３の発光ダイオードと隣合わせになってるため、確実に所望の色温度の白色を実現することができる。
【００１２】
また、本発明は、前記１つの組の各発光ダイオードは、等間隔で直線状に配置されることを特徴とする照明装置によって構成することもできる。この構成によれば、各発光ダイオードが等間隔に配置されるため、良好に各発光ダイオードの白色を組み合わせることができる。
【００１３】
また、本発明は、前記１つの組の発光ダイオードを２組用い、すべての発光ダイオードが前記基板上に直線状に配置されることにより照明ユニットが形成され、前記照明ユニットが複数集合することにより構成されることを特徴とする照明装置によって構成することもできる。この構成によれば、本発明の照明装置は、複数の照明ユニットから構成されるため、平面部あるいは直線部だけでなく、曲線部あるいはコーナーにも設置することができる。
【００１４】
また、本発明は、前記照明ユニットの内の最端に位置する発光ダイオードと前記照明ユニットの端部の距離は、前記照明ユニット内の各発光ダイオードの間隔の半分であることを特徴とする照明装置によって構成することもできる。この構成によれば、照明ユニットを直線状に並べた場合、各発光ダイオードの間隔が等間隔になるため、良好に各発光ダイオードの白色を組み合わせることができる。
【００１５】
また、本発明は、前記１つの組の発光ダイオードを前記基板上に四角形の４つの頂点にそれぞれ配置する場合、一方の対角となる頂点に第２の発光ダイオードを２つ配置し、他方の対角となる頂点に第１の発光ダイオードおよび第３の発光ダイオードをそれぞれ配置することを特徴とする照明装置によって構成することもできる。この構成によれば、第２の発光ダイオードは、第１の発光ダイオードおよび第３の発光ダイオードと隣り合わせになるため、良好に各発光ダイオードの白色を組み合わせることができる。
【００１６】
また、本発明は、前記制御手段は、前記基板上に実装された各発光ダイオードのうち、１つの第１の発光ダイオード、１つの第２の発光ダイオードおよび１つの第３の発光ダイオードを１つの組として各発光ダイオードの輝度をそれぞれ制御することを特徴とする請求項２に記載の照明装置によって構成することもできる。この構成によれば、３つの発光ダイオードで１つの組を構成しているため、照明装置をコンパクトなものとすることができる。
【００１７】
また、本発明は、前記基板上には、第１の発光ダイオード、第２の発光ダイオードおよび第３の発光ダイオードに加え、赤色発光ダイオード、緑色発光ダイオードおよび青色発光ダイオードがさらに実装され、前記制御手段は、６色の発光ダイオードの輝度を調節することを特徴とする請求項２に記載の照明装置によって構成することもできる。この構成によれば、第１から第３の発光ダイオードに加え、赤色、緑色および青色の発光ダイオードを用いて照明装置を構成したため、ほぼすべての色を発光する照明装置を実現することができる。
【００１８】
また、本発明は、前記制御手段により変化する前記照明装置の色温度を、時間の経過に応じて所望の色温度となるように変化させる時間感応色温度調整手段を、さらに備えることを特徴とする照明装置によって構成することもできる。この構成によれば、時間の経過に応じて照明装置の色温度を変化させることができるため、例えば、時間感応色温度調整手段によって、一日の白色光の変化の経過をプログラミングした場合、実際の一日の白色光の変化を実現することができる。
【発明の効果】
【００１９】
本発明は、３種類の発光ダイオードを組み合わせて照明装置を構成したため、色温度の広い照明装置を実現することができる。また、各白色発光ダイオードの配置を工夫することにより、良好に各発光ダイオードの白色を組み合わせることができ、色温度の広い白色を実現することができる。
【発明を実施するための最良の形態】
【００２０】
本発明を実施するための実施の形態について以下に詳細に説明する。図１は、本発明が適用された第１の実施形態の全体構成を示すブロック図である。照明装置２は、電源４と、電源４に接続された制御手段６と、電源４および制御手段６に接続された照明ユニット７より構成されている。照明ユニット７は、複数の発光ダイオードより構成される発光ダイオードの集合の単位であり、照明ユニット７は、第１の発光ダイオード８、第２の発光ダイオード１０、第３の発光ダイオード１２を備えている。
【００２１】
第１の発光ダイオード８は、色温度６５００Ｋから４０００Ｋの範囲のいずれかの白色を発光する発光ダイオードであり、例えば、本実施形態においては、色温度は６５００Ｋである。また、第２の発光ダイオード１０は、色温度３５００Ｋから２５００Ｋの範囲のいずれかの白色、所謂電球色を発光する発光ダイオードであり、本実施形態においては、色温度は３０００Ｋである。また、第３の発光ダイオード１２は、色温度２３００Ｋから１８００Ｋの範囲のいずれかの色、所謂アンバー色を発光する発光ダイオードであり、本実施形態においては、色温度は２０００Ｋである。なお、各発光ダイオードを、第１の発光ダイオード８の白色（Ｗｈｉｔｅ）よりＷ、第２の発光ダイオード１０の電球色（Ｗａｒｍ  Ｗｈｉｔｅ）よりＷＷ、第３の発光ダイオード１２のアンバー色（Ａｍｂｅｒ）よりＡと記載する場合がある。
【００２２】
本実施形態の各発光ダイオードは、制御手段６に輝度を調節され、各発光ダイオードの色が組み合わされて照明装置２の照明色を発生する。制御手段６は、各発光ダイオードを２から１０２４階調に調節するものである。なお、制御手段６は、目標となる色温度を実現するために各発光ダイオードの輝度を調節するものであるが、目標となる色温度は、制御手段６に予め記憶されていても良いし、照明装置２の操作者によってその都度入力されるような構成としても良い。
【００２３】
次に、図２を用いて、本実施形態の照明ユニット７の構成について説明する。図２において、基板１４上には、各発光ダイオードが等間隔に配置されている。基板１４上の各発光ダイオードは、図中左から、第１の発光ダイオード８（Ｗ）、第２の発光ダイオード１０（ＷＷ）、第３の発光ダイオード１２（Ａ）、第２の発光ダイオード（ＷＷ）、第１の発光ダイオード８（Ｗ）、第２の発光ダイオード１０（ＷＷ）、第３の発光ダイオード１２（Ａ）、第２の発光ダイオード（ＷＷ）の順序で配置されている。
【００２４】
また、各発光ダイオードは、基板１４上に、間隔がＬとなるように等間隔に配置されている。また、発光ダイオードの最左端の第１の発光ダイオード８は、基板１４の左端部である基板左端部１６から右側にＬ／２の距離隔てた位置に配置されている。同様に、発光ダイオードの最右端の第２の発光ダイオード１０は、基板右端部１８から左側にＬ／２の距離隔てた位置に配置されている。
【００２５】
なお、本実施形態では、照明ユニット７の大きさを約１０ｃｍとするために、発光ダイオードを８つ直線上に並べて照明装置２を構成したが、本発明の照明ユニット７はこれに限られず、図３に示すように、第１の発光ダイオード８（Ｗ）、第２の発光ダイオード１０（ＷＷ）、第３の発光ダイオード１２（Ａ）、第２の発光ダイオード（ＷＷ）の４つの発光ダイオードを用いて構成しても良い。すなわち、本実施形態の発光ダイオードの組の最小構成は、第１の発光ダイオード８が１つ、第２の発光ダイオード１０が２つ、第３の発光ダイオード１２が１つの４つからなるものである。この理由は、現時点で製品化されている各発光ダイオードの輝度を比較すると、第２の発光ダイオード１０の輝度が、他の発光ダイオードよりも低いためであり、４つのうち２つを第２の発光ダイオード１０を用いることで、照明装置２の色温度を良好に制御することができるのである。
【００２６】
また、基板１４には、配線２０が接続されており、配線２０は電源２および制御手段４と基板１４を接続する。
【００２７】
次に、本実施形態の作用について説明する。電源２から電流が供給されると各発光ダイオードは発光する。その際、照明装置２の照明色が目標の色温度になるように、制御手段４により、各発光ダイオードの輝度が調節される。本実施形態では、第１の発光ダイオード８、第２の発光ダイオード１０および第３の発光ダイオード１２を用い、制御手段４により各発光ダイオードの輝度を調整したため、６５００Ｋから２０００Ｋの色温度を発光することができる。
【００２８】
したがって、本発明の第１の実施形態においては、３つの発光ダイオードを組み合わせることにより、照明装置２の色温度を広範囲に変化させることができる。また、第１の発光ダイオード８と第２の発光ダイオード１０を隣り合わせて配置させたため、第１の発光ダイオード８と第２の発光ダイオード１０の色を良好に組み合わせることができる。同様に、第２の発光ダイオード１０と第３の発光ダイオード１２を隣り合わせに配置させたため、第２の発光ダイオード１０と第３の発光ダイオード１２の色を良好に組み合わせることができる。本実施形態では、第１の発光ダイオード８と第３の発光ダイオード１２の色を組み合わせる必要が無いため、本実施形態の配置にすることで、必要最小限の個数の発光ダイオードによって、各発光ダイオードの色を組み合わせることができるのである。
【００２９】
また、本実施形態では、第１の発光ダイオード８を基板左端部１６からＬ／２の距離とし、第２の発光ダイオード１０を基板右端部１８からＬ／２の距離としたため、図４に示すように、照明ユニット７を連結した場合でも、各発光ダイオードの間隔を等間隔にすることができる。これにより、照明装置２の色温度を良好なものとすることができる。
【００３０】
次に、本発明の第２の実施形態について説明する。なお、第２の実施形態は、全体構成を第１の実施形態と共通しているため、第１の実施形態と異なる構成についてのみ説明する。図５は第２の実施形態の照明ユニット２２の構成を説明するための図であり、照明ユニット２２は、基板２４と、基板２４上に配置された第１の発光ダイオード（色温度：６５００Ｋから３５００Ｋの範囲内、Ｗ）２６、第２の発光ダイオード２８（色温度３５００Ｋから２５００Ｋの範囲内、ＷＷ）、第３の発光ダイオード（色温度２３００Ｋから１８００Ｋの範囲内、Ａ）３０および配線３２から構成されている。
【００３１】
第１の発光ダイオード２６は、基板２４の左上部に配置されている。また、第２の発光ダイオード２８は、基板２４の右上部および左下部に２つ配置されている。また、第３の発光ダイオード３０は、基板２４の右下部に配置されている。なお、図５に示すように、第１の発光ダイオード２６と第２の発光ダイオード２８の距離と、第２の発光ダイオード２８と第３の発光ダイオード３０の距離は等しいものとされている。すなわち、各発光ダイオードは、正方形の各頂点上に配置されているのである。
【００３２】
第２の実施形態においても、制御手段４により、各発光ダイオードの輝度が調節され、照明ユニット２２は、所望の色温度を発生させることができる。本実施形態では、各発光ダイオードを、正方形の４つの頂点の位置に配置したため、第１の発光ダイオード２６と第２の発光ダイオード２８、第２の発光ダイオード２８と第３の発光ダイオード３０は同じ間隔となり、良好に色温度を調節することができる。
【００３３】
次に、本発明の第１および第２の実施形態の変形例について以下に説明する。図６に第１の実施形態の変形例である照明ユニット３４の構成を示す。照明ユニット３４は、第１の発光ダイオード（色温度６５００Ｋから４０００Ｋの範囲内、Ｗ）３６、第２の発光ダイオード（色温度３５００Ｋから２５００Ｋの範囲内、ＷＷ）３８および第３の発光ダイオード（色温度２３００Ｋから１８００Ｋの範囲内、Ａ）４０を、それぞれ１つずつ、直線状に配置させたものである。これによっても、第１の実施形態と同様に、照明ユニット３４の色温度を広範囲に変化させることができる。
【００３４】
また、図７に第２の実施形態の変形例である照明ユニット４２の構成を示す。照明ユニット４２は、第１の発光ダイオード（色温度６５００Ｋから４０００Ｋの範囲内、Ｗ）４４、第２の発光ダイオード（色温度３５００Ｋから２５００Ｋの範囲内、ＷＷ）４６および第３の発光ダイオード（色温度２３００Ｋから１８００Ｋの範囲内、Ａ）４８を、それぞれ１つずつ、正三角形の頂点の位置に配置させたものである。これによっても、第２の実施形態と同様に、照明ユニット４２の色温度を広範囲に変化させることができる。
【００３５】
次に、本発明の第３の実施形態について説明する。第３の実施形態は、第１及び第２の実施形態で説明した各照明ユニットと、照明装置の発光する白色を、時間とともに変化させるための制御手段より構成されている。第３の実施形態の構成を図８に示す。図８に示すように、照明装置５０は、電源４と電源に接続された制御手段５２と、制御手段５２にそれぞれ接続された発光ダイオード８、１０、１２より構成されている。また、制御手段５２は、時間の経過に応じて発光ダイオード８、１０、１２の輝度の割合を変化させて、照明装置５０の色温度を変化させる時間感応色温度調整手段５４を備えている。
【００３６】
なお、制御手段５２の時間感応色温度調整手段５４は、時間と色温度の関係のプログラムを予め設定することができる。図９に、その一例を示す。図９に示すように、午前０時には設定色温度指数は２３００Ｋであり、時間の経過とともに設定色温度指数が変化するように、時間感応色温度調整手段５４は、予めプログラミングされている。なお、図９に示す表は、人間の生活環境に好影響を及ぼすと考えられる照明の色温度を、時間の経過に対して設定したものである。
【００３７】
また、３つの発光ダイオードを用いて所望の色温度を実現するためには、各発光ダイオードの輝度の割合を調節することが必要である。図１０は、目標となる色温度を実現するための各発光ダイオードの輝度を示した表である。図１０において、例えば、目標色温度２５００Ｋ以下の白色を照明装置２で実現するためには、第１の発光ダイオード８（Ｗ）を０％、第２の発光ダイオード１０（ＷＷ）を０〜５０％、第３の発光ダイオード１２（Ａ）を１００％点灯させる必要がある。図１０の表に基づき、制御手段５２は、目標色温度を実現するために、発光ダイオードの輝度を調節する。なお、各発光ダイオードの輝度の割合は、各発光ダイオードの最大輝度に対する割合を意味する。
【００３８】
したがって、本発明の第３の実施形態の照明装置５０は、時間の経過とともに、色温度を変化させることができるため、人間の生活環境に合った照明装置を実現することができる。また、本実施形態では、第１及び第２の照明装置を用いて構成されるため、照明装置５０をコンパクトなものとすることができる。
【００３９】
次に、本発明の第４の実施形態について説明する。図１１は、第４の実施形態の照明ユニット６０の構成を説明するための図である。図１１において、照明ユニット６０は、基板６２上に合計１８個の発光ダイオードを有している。各発光ダイオードは、図中左から、第３の発光ダイオード（Ａ）１２が縦に等間隔に３つ配置され、この右隣に、青色発光ダイオード（Ｂ）６８と赤色発光ダイオード（Ｒ）６４が縦に２つ配置され、この右隣に、第２の発光ダイオード（ＷＷ）１０が縦に３つ等間隔に配置されている。さらに、この右隣に、緑色発光ダイオード（Ｇ）６６が縦に２つ配置され、この右隣に、第１の発光ダイオード（Ｗ）が縦に等間隔に配置されている。また、この右隣に、青色発光ダイオード６８と赤色発光ダイオード６４が縦に配置され、この右隣に、赤色発光ダイオード６４、緑色発光ダイオード６６および青色発光ダイオード６８が縦に等間隔に配置されている。なお、第４の実施形態の照明ユニット６０においても、第１の実施形態の電源２および制御手段４を備えている。
【００４０】
したがって、本発明の第４の実施形態においても、従来のＲＧＢでは発光させることが困難であった白色を発光させるとともに、ＲＧＢの発光ダイオードも備えるため、ほぼすべての色を発光させることができる照明装置を実現することができる。また、第４の実施形態の照明ユニット６０では、各色の発光ダイオードを図１１に示す配置としたため、各色の発光ダイオードの配線を他の色の配線を跨ぐことなく設けることができ、照明ユニット６０を簡単な構成とすることができる。
【００４１】
以上、本発明を用いた照明装置について各実施形態について説明したが、本発明の請求の範囲を逸脱しない範囲であれば、他の構成を採ることも可能である。
【図面の簡単な説明】
【００４２】
【図１】本発明に係る第１実施形態の照明装置２の全体構成を示すブロック図である。
【図２】本発明に係る第１実施形態の照明装置２の構成を示す図である。
【図３】本発明に係る第１実施形態の照明装置２の変形例を示す図である。
【図４】本発明に係る第１実施形態の照明装置２の連結した時の状態を示す図である。
【図５】本発明に係る第２の実施形態の照明ユニット２２の構成を示す図である。
【図６】本発明に係る第１の実施形態の変形例の照明ユニット３４の構成を示す図である。
【図７】本発明に係る第２の実施形態の変形例の照明ユニット４２の構成を示す図である。
【図８】本発明に係る第３の実施形態の照明装置５０の構成を示す図である。
【図９】本発明に係る第３実施形態の時間感応色温度調整手段５４の、各時間に対する設定色温度指数の変化を示す表である。
【図１０】本発明に係る第３の実施形態の時間感応温度調整手段５４の、目標色温度指数に対する各発光ダイオードの輝度の割合を示す表である。
【図１１】本発明に係る第４の実施形態の照明ユニット６０の構成を示す図である。
【符号の説明】
【００４３】
２    照明装置
６    制御手段
８    第１の発光ダイオード
１０  第２の発光ダイオード
１２  第３の発光ダイオード
１４  基板
１６  基板左端部
１８  基板右端部
２０  配線
【図１】
2008192842.tif 000003
【図２】
2008192842.tif 000004
【図３】
2008192842.tif 000005
【図４】
2008192842.tif 000006
【図５】
2008192842.tif 000007
【図６】
2008192842.tif 000008
【図７】
2008192842.tif 000009
【図８】
2008192842.tif 000010
【図９】
2008192842.tif 000011
【図１０】
2008192842.tif 000012
【図１１】
2008192842.tif 000013